(57)【特許請求の範囲】
【請求項１】
傾斜した屋根体双方の谷側が対向している一対のガレージの狭間に位置し、当該狭間より幅広な雨樋本体を当該ガレージに固定するガレージ用雨樋固定具において、
前記雨樋本体の底部に略水平な状態で固定され、かつ当該雨樋本体より幅広な平板状固定部と、
前記屋根体に固定され、前記平板状固定部の両端と連設する一対のアングル状固定部と、
前記平板状固定部の一端を前記アングル状固定部の一方に対して着脱自在に連結する留め部と、
前記平板状固定部の他端を前記アングル状固定部の他方に対して回動自在に連結するヒンジ部とを備えている
ことを特徴とするガレージ用雨樋固定具。
【請求項２】
前記留め部が、前記平板状固定部の一端に装着されたレバー及び第１フックと、前記アングル状固定部の一方に装着され、当該平板状固定部と当該アングル状固定部との連設時に当該第１フックと引っ掛かる第２フックとを備えている
ことを特徴とする請求項１に記載のガレージ用雨樋固定具。
【請求項３】
請求項１又は２に記載のガレージ用雨樋固定具を搭載したガレージ用雨樋。
【発明の詳細な説明】
【技術分野】
【０００１】
本発明は、例えば傾斜した屋根体双方の谷側が対向している一対のガレージの狭間に位置する雨樋本体をこのガレージに固定するガレージ用雨樋固定具に関し、さらに詳しくは、雨樋本体を傾けて内側に蓄積した枯葉やゴミ等の除去を容易にするガレージ用雨樋固定具に関するものである。
【背景技術】
【０００２】
従来から、例えば駐輪場に支柱を立てて設置された屋根体付きガレージ（以下、単に「ガレージ」という）は、駐輪スペースを広めに確保するため、支柱を突き合わせた一対のガレージとして使用されていた。さらにこれらガレージの屋根体は、枯葉やゴミ等が堆積しないよう、傾斜状のものが多かった。これにより、枯葉やゴミ等が屋根体の谷側から滑り落ちるため、屋根体上に堆積し難くなった。しかしながら、一対のガレージの屋根体同士が近接して形成される狭間に、枯葉やゴミ等が堆積しやすくなってしまった。そのため、屋根体に上って狭間から枯葉やゴミ等を取り除く作業の手間が掛かっていた。
【０００３】
一方、一対のガレージの屋根体同士で形成した狭間に着脱可能な雨樋を設置する発想（例えば特許文献１参照。）が提案されている。詳細には、ブラケットが一方のガレージの屋根体を構成する母屋にネジで着脱自在に固定されており、このブラケットに設けた雨樋が屋根体同士の狭間に位置するため、傾斜した屋根体の谷側から滑り落ちた枯葉やゴミ等がこの雨樋内に堆積する構造となっている。
【先行技術文献】
【特許文献】
【０００４】
【特許文献１】特開平９−２７９８７４号公報
【発明の概要】
【発明が解決しようとする課題】
【０００５】
しかしながら上述した従来における構造では、雨樋をブラケットから外すか、雨樋が固定されたブラケットを屋根体から外すかしない限り、この雨樋内に堆積した枯葉やゴミ等を除去することができなかった。すなわち、上記構造は屋根体の谷側から滑り落ちた枯葉やゴミ等が地面に落下して散らばることを未然に防ぐ意味合いが強く、雨樋内に堆積した枯葉やゴミ等を容易に除去するためのものとは考え難い。
【０００６】
さらに上記構造は、ガレージ同士を突き合わせて一対のガレージとして使用するための位置を正確に一致させるのは困難であることから、ガレージ同士の狭間に合わせて雨樋が取り付けられたものである。すなわち、上記狭間は屋根体から滑り落ちた枯葉やゴミ等が堆積することを防ぐために形成されたものではなく、上記雨樋に堆積した枯葉やゴミ等を容易に取り除くべき課題を解決するものではない。
【０００７】
このため、ガレージ同士を付き合わせて一対のガレージとして使用する場合、ガレージ同士で形成された狭間に枯葉やゴミ等が堆積せず、これらの枯葉やゴミ等が地面に落下して散らばらないよう集積し、さらに集積した枯葉やゴミを容易に除去して堆積しないようにすることが必要である。
【０００８】
そこで本発明の目的は、一対のガレージが形成する屋根体同士の狭間に設けた雨樋から枯葉やゴミ等を除去しやすいガレージ用雨樋固定具を提供することにある。
【課題を解決するための手段】
【０００９】
すなわち、本発明によるガレージ用雨樋固定具は、傾斜した屋根体双方の谷側が対向している一対のガレージの狭間に位置し、上記狭間より幅広な雨樋本体を上記ガレージに固定するガレージ用雨樋固定具において、上記雨樋本体の底部に略水平な状態で固定され、かつ当該雨樋本体より幅広な平板状固定部と、上記屋根体に固定され、上記平板状固定部の両端と連設する一対のアングル状固定部と、上記平板状固定部の一端を上記アングル状固定部の一方に対して着脱自在に連結する留め部と、上記平板状固定部の他端を上記アングル状固定部の他方に対して回動自在に連結するヒンジ部とを備えている。
【００１０】
上記アングル状固定部は、上記屋根体を構成する棒材の側面に固定されていることが望ましい。
【００１１】
上記留め部が、上記平板状固定部の一端に装着されたレバー及び第１フックと、上記アングル状固定部の一方に装着され、上記平板状固定部と上記アングル状固定部との連設時に上記第１フックと引っ掛かる第２フックとを備えていることが望ましい。
【００１２】
さらに上記ガレージ用雨樋固定具を搭載したガレージ用雨樋であることが望ましい。
【発明の効果】
【００１３】
本発明によるガレージ用雨樋固定具は、留め部により平板状固定部とアングル状固定部との連結状態が解除され、平板状固定部がヒンジ部を介して回動自在になることにより、雨樋本体が下方に傾いて作業者の手が届く状態となる。したがって、屋根体に上ったり棒でかき出したりすることなく、容易に雨樋本体に集積した枯葉やゴミ等を除去することができる。
【００１４】
また、平板状固定部が雨樋本体の底部に固定され、上記アングル状固定部が上記屋根体を構成する棒材の側面に固定されていることにより、一対のガレージの狭間に雨樋本体を水平かつ宙吊り状態で設置することができる。したがって、作業者は雨樋本体の略直下から枯葉やゴミ等の取り出し作業をしやすくなる。
【００１５】
また、留め部は、レバーを回動することで第１フックを第２フックに対して固定したり緩めたりすることが容易にできるため、より作業をしやすくなる。
【図面の簡単な説明】
【００１６】
【図１】ガレージ用雨樋固定具で雨樋本体が装着された一対のガレージの正面図及び平面図である。
【図２】ガレージ用雨樋固定具で雨樋本体に堆積した廃棄物を除去する状態を示す正面図である。
【発明を実施するための形態】
【００１７】
以下図１〜２を参照しつつ、本発明によるガレージ用雨樋固定具の基本構造と使用状態を説明する。なお、図１（ａ）がガレージ用雨樋固定具で雨樋本体が装着された一対のガレージの正面図、図１（ｂ）が平面図である。
【００１８】
図１に示すように、本発明におけるガレージ用雨樋固定具の一実施形態は、傾斜した屋根体Ｒ、Ｒ双方の谷側が対向している一対のガレージＧ、Ｇの狭間Ｈに位置する雨樋本体Ｄをこのガレージに固定するガレージ用雨樋固定具において、この雨樋本体に固定される平板状固定部１と、これらの屋根体に固定され、この平板状固定部の両端と連設する一対のアングル状固定部２、２と、この平板状固定部の一端とこのアングル状固定部の一方とを着脱自在に連結する留め部３と、この平板状固定部の他端とこのアングル状固定部の他方とを回動自在に連結するヒンジ部４とを備えている。
【００１９】
平板状固定部１は、雨樋本体Ｄの底部Ｄ１に固定され、アングル状固定部２、２は、屋根体Ｒを構成する棒材の側面に固定されている。
【００２０】
雨樋本体Ｄは、底部Ｄ１に設けられた開口Ｄ２と連設して下方に突出した筒部Ｄ３を有し、筒部Ｄ３は、地中につながり立設した筒状の堅樋部５に連通し、この堅樋部は、上下方向にスライド自在である。
【００２１】
ここで、ガレージについて説明する。ガレージＧは、例えば自転車の駐輪場に使用されるものである。
【００２２】
支柱Ｐは、下部が所定の固定具で地表に固定されて略垂直に立設している。
なお、支柱Ｐは地中に埋設されていてもよく、少なくとも両端に２本設けられ、それ以上でもよい。支柱Ｐが２本以上の場合は、所定の間隔を開けて列状に設けられる。
【００２３】
屋根体Ｒは、梁部Ｒ１と、母屋部Ｒ２と、屋根パネル部Ｒ３とで構成されている。屋根体Ｒは平坦状で、左右一方に傾斜している。支柱Ｐは、屋根体Ｒの谷側の両端に少なくとも１本ずつ設けられている。
なお、屋根体Ｒの形状は、円弧状でもよい。屋根体Ｒの谷側の端部は、屈曲または湾曲していてもよい。支柱Ｐは、山側の端部に設けられていてもよい。
【００２４】
梁部Ｒ１は、屋根体Ｒの最下層部分を形成する棒材で、地面に対して傾き、複数の支柱Ｐが並ぶ方向と直交して設けられている。
なお、梁部Ｒ１は、直線状または円弧状でもよく、支柱Ｐと一体に連設されていてもよい。
【００２５】
母屋部Ｒ２は、屋根体Ｒの中間層部分を形成する棒材で、梁部Ｒ１の上部かつ少なくとも屋根体Ｒの谷側付近に位置し、この梁部に直交する向きで設けられている。
なお、母屋部Ｒ２は、屋根体Ｒの山側付近に位置していてもよく、設置場所に限定はない。
【００２６】
屋根パネル部Ｒ３は、屋根体Ｒの最上層部分を形成する平坦状な面材で、母屋部Ｒ２の上部に位置する。
なお、屋根パネル部Ｒ３は、円弧状でもよい。
【００２７】
屋根体Ｒ、Ｒの谷側が対向してガレージＧ、Ｇが隣接したとき、双方の屋根体により狭間Ｈが形成される。狭間Ｈの距離に限定はないが、雨樋本体Ｄが設置された状態で、屋根体Ｒ、Ｒから滑り落ちた枯葉やゴミ等が地表に落下しない程度の距離が望ましい。
【００２８】
次に、ガレージ用雨樋固定具について説明する。ガレージ用雨樋固定具は、隣接したガレージＧ、Ｇの屋根体Ｒ、Ｒの狭間Ｈの直下に、屋根体Ｒ、Ｒから滑り落ちた枯葉やゴミ等を集積する雨樋本体Ｄを設置するために用いられる。
【００２９】
ガレージ用雨樋固定具は、雨樋本体Ｄの底部Ｄ１に固定される平板状固定部１と、母屋部Ｒ２に固定され、この平板状固定部の両端と連設する一対のアングル状固定部２、２と、この平板状固定部の一端とこのアングル状固定部の一方とを着脱自在に連結する留め部３と、この平板状固定部の他端とこのアングル状固定部の他方とを回動自在に連結するヒンジ部４とを備えている。
【００３０】
平板状固定部１は、細長い板状の部材で、雨樋本体に所定の固定具で固定されている。
なお、平板状固定部１は単数でも複数でもよく、複数用いる場合は雨樋本体Ｄを挟んで両側に設けられてもよい。
【００３１】
アングル状固定部２は、所定の角度で折れ曲がった板状の部材で、一方の板部分が母屋部Ｒ２に固定され、他方の板部分が平板状固定部１と連設される。
なお、アングル状固定部２の形状に限定はなく、平板状固定部１が略水平になるよう、母屋部２のみならず屋根体Ｒのいずれかに固定可能な形状であればよい。
【００３２】
留め部３は、例えば、レバーが回動してフック部分を固定したり緩めたりする部材である。詳細には、レバー及びフックの一方が平板状固定部１に装着され、フックの他方がアングル状固定部２に挿着され、双方のフックが引っ掛かることで平板状固定部１とアングル状固定部２とを連設するものである。
なお、留め部３は、例えばスキー用のブーツに用いられるビンディングのように着脱が容易なものならいずれでもよい。
【００３３】
ヒンジ部４は、一方が平板状固定部１に固定され、他方がアングル状固定部２に固定され、この平板状固定部をアングル状固定部に対して下方に回動自在に連結するものである。
【００３４】
ここで、屋根体Ｒ、Ｒから滑り落ちて狭間Ｈを経由し雨樋本体Ｄに集積した落下した雨水や泥水等の流路を説明する。
【００３５】
桶状の雨樋本体Ｄは、底部Ｄ１に設けられた開口Ｄ２に連設して下方に突き出た筒部Ｄ３が設けられている。筒部Ｄ３は、雨水や泥水等を地中に流す筒状の堅樋部５に連通している。
【００３６】
堅樋部５は、筒状の部材で、所定の土台に挿入されていると共に、支柱Ｐに対して横方向から固定してある。
なお、堅樋部５の寸法や形状に限定はない。また、支柱Ｐに対して、例えば支持バンドが緩むことでスライド可能な状態になるものならいずれでもよい。
【００３７】
次に、図２を参照しつつ、雨樋本体Ｄに落下し堆積した枯葉やゴミなどの廃棄物の処理について説明する。
【００３８】
堅樋部５と支柱Ｐとの固定状態が解除されると、土台を介して堅樋部が上下にスライド可能となり、雨樋本体Ｄと分離する。堅樋部５と雨樋本体Ｄとの距離が十分開いた状態で、留め部３のレバーを回動させフックを解除させると、ヒンジ部４を中心に平板固定部１及びこの平板固定部に固定された雨樋本体Ｄが下方かつ逆時計回りに回動する。
【００３９】
雨樋本体Ｄが回動すると、底部Ｄ１に作業者の手が届き、この底部や雨樋フィルタＤ４に集積した枯葉やゴミ等が取り出される。
【００４０】
本実施形態によるガレージ用雨樋固定具は、留め部３により平板状固定部１とアングル状固定部２、２との連結状態が解除され、この平板状固定部がヒンジ部４を介して回動自在になることにより、雨樋本体Ｄが下方に傾いて作業者の手が届く状態となる。したがって、屋根体Ｒ、Ｒに上ったり棒でかき出したりすることなく、容易に雨樋本体Ｄに集積した枯葉やゴミ等を除去することができる。
【００４１】
また、平板状固定部１が雨樋本体Ｄの底部Ｄ１に固定され、アングル状固定部２、２が屋根体Ｒ、Ｒを構成する棒材の側面に固定されていることにより、一対のガレージＧ、Ｇの狭間Ｈにこの雨樋本体を水平かつ宙吊り状態で設置することができる。したがって、作業者は雨樋本体Ｄの略直下から枯葉やゴミ等の取り出し作業をしやすくなる。
【００４２】
また、雨樋本Ｄ体の底部Ｄ１の下方に設けられた筒部Ｄ３と連通している筒状の堅樋部５が上下方向にスライド自在であることにより、この底部から流れる雨水や泥水を地中に排出できる上、傾いた雨樋本体の底部に集積した枯葉やゴミ等の除去を容易にすることができる。
【符号の説明】
【００４３】
１      平板状固定部
２      アングル状固定部
３      留め部
４      ヒンジ部
Ｄ      雨樋本体
Ｄ１    底部
Ｄ２    開口
Ｄ３    筒部
【図１】
0006523667.tif 000002
【図２】
0006523667.tif 000003